(57)【要約】 【課題】鋏使用者の好みや使い方に合わせて指環部の刀体柄部における位置、柄部に対して直交する軸方向を中心とした回動方向の角度、前記軸方向から傾いた傾斜角度の調整を、非常に簡単な構造で実現する。【解決手段】端部に指環部を備えた一対の刀体をＸ状に交叉させ、両刀体を貫通する枢結ボルト及び締付ナットで交叉部を枢結してなる理容鋏に於いて、指環部６を刀体から分離して形成すると共に、指環部を分離した柄部５における指環連結個所に磁石部５１を設けると共に、分離指環部６の連結部位（装着突部６１）を磁気吸着部材で形成し、分離指環部６を磁気吸着で柄部５に連結する。【選択図】図２
2011078672.tif 000002
【特許請求の範囲】
【請求項１】
端部に指環部を備えた一対の刀体をＸ状に交叉させ、両刀体を貫通する枢結ボルト及び締付ナットで交叉部を枢結してなる理容鋏に於いて、少なくとも一方の指環部を刀体から分離して形成すると共に、指環部を分離した柄部における指環連結個所に磁石部を設けると共に、分離指環部の連結部位を磁気吸着部材で形成してなることを特徴とする理容鋏。
【請求項２】
柄部に、適宜間隔をおいて複数の磁石部を縦列して設ける請求項１記載の理容鋏。
【請求項３】
磁石部を柄部に埋設すると共に、磁石部中心に球面状凹部を設けると共に、分離指環部における連結部位に前記球面状凹部に対応する装着突部を突設してなる請求項１又は２記載の理容鋏。
【請求項４】
磁石部を柄部に埋設すると共に、磁石部中心に装着穴を設けると共に、分離指環部における連結部位に前記装着穴に対応する装着軸を突設してなる請求項１又は２記載の理容鋏。
【請求項５】
装着穴を装着軸が遊挿できる大きさに形成し、分離指環部の連結部位を、装着軸を中心とし、多段傾斜面からなる膨出面に形成してなる請求項４記載の理容鋏。
【発明の詳細な説明】
【技術分野】
【０００１】
本発明は、理容鋏に関するものである。
【背景技術】
【０００２】
理容鋏の基本的構成は、周知のとおり一対の刀体をＸ状に交叉させ、両刀体を貫通する軸孔を穿設し、該軸孔に挿通した枢結軸で交叉部を枢結してなるものである。操作部分は通常指環構造となっており、刀体と一体に形成されている。
【０００３】
ところで理容鋏においては、鋏使用者の好みや使い方に合わせて指環部の刀体柄部に対する位置（枢結軸からの遠近距離位置・他方指環部との相対的位置）や、角度（柄部に対して直交する軸を中心とした回動方向）の調整を可能としたり、更には指環部の傾斜回動を可動とする構造が、従前より提案されている。
【０００４】
例えば特許文献１（実開平２−４３９７０号公報）には、同一平面上に配置される親指用指輪部と薬指用指輪部では使い難いとして、親指用指環部の連結柄部に長孔を設けると共に、前記長孔を貫通する係着ボルトで親指用指環部を止着しているもので、長孔によって係着ボルトの位置調整を行い、係着ボルトを軸にして所望の角度まで回動させて、当該位置で固定するようにしている。
【０００５】
また特許文献２（実開平２−２５９６８号公報）には、前記の長孔に替えて細溝で連結した軸孔を設けて、指環部の位置調整と角度調整を行うようにしている。
【０００６】
更に特許文献３（実開平１−１７８８７７号公報）には、起伏による位置調整用の回動体と、回動体に角度調整用に回動自在としたＵ状保持アームとを備え、前記のＵ状保持アームに指環部を傾斜（柄部に対して直交する軸からの傾斜）自在に枢着して、指環部の位置調整と角度調整と傾斜調整を行うようにしている。
【先行技術文献】
【特許文献】
【０００７】
【特許文献１】実開平２−４３９７０号公報。
【特許文献２】実開平２−２５９６８号公報。
【特許文献３】実開平１−１７８８７７号公報。
【発明の概要】
【発明が解決しようとする課題】
【０００８】
指輪部の位置調整や角度調整を行う手段は、前記特許文献１，２に開示されているが、いずれも移動及び回動の調整には、係着ボルトの操作が必要であり、使用中に位置や角度を変更調整は煩瑣な作業となる。而も前記文献に開示されている構造は傾斜調整ができない。
【０００９】
また特許文献３に開示されている構造は、位置調整及び角度調整の他に傾斜調整も可能であるが、回動軸構造を三軸方向に設ける必要があり、製造が面倒である。
【００１０】
そこで本発明は、非常に簡単な構造で位置調整、角度調整、傾斜調整等を実現できる新規な理容鋏を提案したものである。
【課題を解決するための手段】
【００１１】
本発明に係る理容鋏は、端部に指環部を備えた一対の刀体をＸ状に交叉させ、両刀体を貫通する枢結ボルト及び締付ナットで交叉部を枢結してなる理容鋏に於いて、少なくとも一方の指環部を刀体から分離して形成すると共に、指環部を分離した柄部における指環連結個所に磁石部を設けると共に、分離指環部の連結部位を磁気吸着部材で形成してなることを特徴とするものである。
【００１２】
而して分離指環部の連結部位を磁石部に吸着させて連結すると、分離指環部は刀体と一体となり、鋏操作が可能となり理容に供されるもので、特に吸着に際して吸着形態（角度）を選択することで、容易に角度調整が可能となるものである。
【００１３】
また本発明（請求項２）の理容鋏は、前記の磁石部を複数縦列して設けることで、何れかの磁石部を選択することで位置調整が可能となるものである。
【００１４】
更に本発明（請求項３）の理容鋏は、特に磁石部を柄部に埋設すると共に、磁石部中心に球面状凹部を設けると共に、分離指環部における連結部位に前記球面状凹部に対応する装着突部を突設してなるものである。
【００１５】
而して、球面状凹部に装着突部を当接することで、両者が吸着されると共に、分離指環部がいずれの角度及び傾斜状態でも、球面状凹部と装着突部は密着するので、角度調整及び傾斜調整が容易に実現する。
【００１６】
更に本発明（請求項４）の理容鋏は、特に磁石部を柄部に埋設すると共に、磁石部中心に装着穴を設けると共に、分離指環部における連結部位に前記装着穴に対応する装着軸を突設してなるもので、装着穴に装着軸を挿入にして磁気吸着させると、分離指環部の位置ずれを防ぐことができると共に、分離指環部は装着軸を中心に回動吸着することで、角度調整を行うことができるものである。
【００１７】
また特に前記発明（請求項４）において、特に装着穴を装着軸が遊挿できる大きさに形成し、分離指環部の連結部位を、装着軸を中心とし、多段傾斜面からなる膨出面に形成すると、多段傾斜面の何れかと磁石面が吸着して、前記の角度調整と相まって傾斜調整も行うことができるものである。
【発明の効果】
【００１８】
本発明の構成は上記のとおりで、分離指環部の柄部との連結に磁気吸着を採用してなるものであるから、ネジ操作や枢結構造を採用することなく簡単な構造で分離指環部を所望態様（角度、傾斜）で連結することができたものである。また柄部における磁石部を複数設けると、吸着すべき磁石部の選択で分離指環部の連結位置調整も可能となるものである。
【図面の簡単な説明】
【００１９】
【図１】本発明の第一実施形態の全体斜視図。
【図２】同要部拡大斜視図で、（イ）は分離状態を示し、（ロ）及び（ハ）は装着状態を示す。
【図３】同吸着連結部分の説明図（位置調整の説明図）。
【図４】同図（角度調整の説明）。
【図５】同図（傾斜調整の説明）。
【図６】同第二実施形態の要部拡大斜視図。
【図７】同吸着連結部分の調整説明図。
【発明を実施するための形態】
【００２０】
次に本発明の実施形態について説明する。図１乃至５は本発明の第一の実施形態を示したもので、この理容鋏は、通常の理容鋏と同様に、一対の刀体１，１ａをＸ状に交叉させ、両刀体を貫通する枢結ボルト２及び締付ナット３で交叉部を枢結してなるもので、一方の刀体１の端部には、指環部（中指・薬指用）４を刀体１と一体に形成し、他方刀体１ａの端部は柄部５を刀体１ａと一体に形成し、他方刀体１ａが備えるべき指環部（親指用）は、分離指環部６としてなるものである。
【００２１】
柄部５には、柄部５が備えるべき指環部の形成面側に、複数の磁石部５１を、適宜間隔をおいて複数縦列して埋設したもので、各磁石部５１は、相応に強力に磁気を備えるようにし、各々の中央に球面状凹部５２を設けたものである。
【００２２】
分離指環部６は、適宜大きさのリング体で、全体を磁気吸着材質で形成するか、或いは前記の柄部５に連結する部位を磁気吸着材質で形成するもので、連結部位は、前記の球面状凹部５２と密着する外形状（半球状）の装着突部６１を設けたものである。
【００２３】
而して分離指環部６の装着突部６１を何れかの磁石部５１の球面状凹部５２を選択して当接させると、分離指環部６は、磁気吸着によって柄部５に連結されることになる。
【００２４】
従って縦列した磁石部５１の何れかの球面状凹部５２を選択（柄部５に添う方向の移動調整）によって分離指環部６の連結位置（枢結軸からの遠近距離・固定指環部４との相対的位置）を調整できることになる（図３参照）。
【００２５】
また分離指環部６は、柄部５に対して直交する方向を軸（図４の軸Ａ）とした場合に、前記軸Ａを中心に任意に回動して、所望の回動角度で磁気吸着させることができるので、分離指環部６の取付角度を任意に、且つ容易に調整できるものである。
【００２６】
更に球面状凹部５２と装着突部６１が同一の球状面に形成されているので、分離指環部６を傾斜（Ａ軸から傾斜）させて磁石部５１に吸着させることで傾斜調整が可能となるものである。
【００２７】
従って非常に簡単な操作で、使用者の使い易い状態に分離指環部６を柄部５に連結することができるもので、当該状態で理容に供されるものである。
【００２８】
次に本発明の第二実施形態について説明する。第二実施形態は、図６，７に示すように、前記の実施形態と異なる柄部５ａと分離指環部６ａの組み合わせで構成される。
【００２９】
柄部５ａは、複数の磁石部５１ａを、適宜間隔をおいて複数縦列して埋設すると共に、各磁石部５１ａ中央に半球状の装着穴５２ａを設けたものである。
【００３０】
分離指環部６ａは、適宜大きさのリング体で、全体を磁気吸着材質で形成するか、或いは前記の柄部５ａに連結する部位を磁気吸着材質で形成するもので、連結部位６１ａの中心を前記装着穴５２ａに遊挿され得る大きさの装着軸６２に形成してなり、特に連結部位６１ａは、装着軸６２を中心とした膨出面に形成してなるもので、前記膨出面は、多段傾斜面に形成したものである。
【００３１】
而して分離指環部６ａの装着軸６２を何れかの磁石部５１ａの装着穴５２ａを選択して装着すると、連結部位６１ａが磁石部５１ａに磁気吸着して、柄部５ａに連結されることになる。従って磁石部５１ａの選択によって分離指環部６ａの連結位置を調整できることになる。
【００３２】
また分離指環部６ａは、装着軸６２を中心に任意に回動することができ、特に柄部５ａと直交する軸方向（Ａ軸方向）で回動させて、所望の回動角度で分離指環部６ａを磁気吸着させることで、分離指環部６ａの取付角度を任意に、且つ容易に調整できるものである。
【００３３】
更に装着穴５２ａ内で装着軸６２を傾けさせることで、連結部位６１ａの膨出多段傾斜面のいずれかを磁石面に吸着させることで傾斜調整が可能となるものである。
【００３４】
従って非常に簡単な操作で、使用者の使い易い状態に分離指環部６ａを柄部５ａに連結することができるもので、当該状態で理容に供されるものである。
【００３５】
また本発明は前記の実施形態に限定されるものではなく、連結部位６１ａを多段傾斜面とせずに膨出曲面に形成すると、やや不安定であるが、傾斜角度調整が連続的になされるものである。
【００３６】
更に傾斜角度調整を考慮しないのであれば、装着穴５２ａを、装着軸６２が密挿される長軸孔に形成すると共に、連結部位６１ａを平面状に形成すると、装着穴５２ａの選択装着と、装着軸６２を中心に回動させることで、位置調整及び角度調整を実現できる分離指環部構造とすることができる。
【００３７】
また分離指環部を一方の刀体のみとせずに、両刀体ともに分離指環部を採用しても良い。
【符号の説明】
【００３８】
１，１ａ      刀体
２            枢結ボルト
３            締付ナット
４            指環部（中指・薬指用）
５，５ａ      柄部
５１，５１ａ  磁石部
５２          球面状凹部
５２ａ        装着穴
６，６ａ      分離指環部
６１          装着突部（連結部位）
６１ａ        連結部位（膨出傾斜面）
６２          装着軸
【図１】
2011078672.tif 000003
【図２】
2011078672.tif 000004
【図３】
2011078672.tif 000005
【図４】
2011078672.tif 000006
【図５】
2011078672.tif 000007
【図６】
2011078672.tif 000008
【図７】
2011078672.tif 000009